(57)【要約】【課題】冷却水配管の組立性の容易化と、当該冷却水配管の長さ短縮とを図ることができる電気駆動車両構造およびその組立方法の提供を目的とする。【解決手段】車室後方にレンジエクステンダユニットＵ４が配置され、車室下部にバッテリケース５１が配置され、車室前方のモータルーム１０内に駆動用モータ１５と、レンジエクステンダユニット用の熱交換器２１，２３とが配置され、熱交換器２１，２３と上記レンジエクステンダユニットＵ４とを連結する冷却水配管Ｗが、車両前後方向に延在されると共に、冷却水配管Ｗはバッテリケース５１上面に支持された後半部Ｗｒと、モータルーム１０内に位置する前半部Ｗｆとに分割されており、車室１１と上記モータルーム１０とを前後方向に仕切るダッシュパネル１３の位置に、冷却水配管Ｗの前半部Ｗｆと後半部Ｗｒとの接続部７０が設けられたことを特徴とする。【選択図】図１
2019147422.tif 000002
【特許請求の範囲】
【請求項１】
車室後方にレンジエクステンダユニットが配置され、
車室下部にバッテリケースが配置され、
車室前方のモータルーム内に駆動用モータと、上記レンジエクステンダユニット用の熱交換器とが配置された電気駆動車両構造であって、
上記熱交換器と上記レンジエクステンダユニットとを連結する冷却水配管が、車両前後方向に延在されると共に、
該冷却水配管は上記バッテリケース上面に支持された後半部と、上記モータルーム内に位置する前半部とに分割されており、
上記車室と上記モータルームとを前後方向に仕切るダッシュパネルの位置に、上記冷却水配管の上記前半部と上記後半部との接続部が設けられたことを特徴とする
電気駆動車両構造。
【請求項２】
上記接続部は、上記バッテリケース上面のダッシュパネル近傍位置に立設されたブラケットと、当該ブラケットに支持され、後側に上記冷却水配管の後半部の前端部が、前側に上記冷却水配管の前半部の後端部が、それぞれ嵌められる管部とからなることを特徴とする
請求項１に記載の電気駆動車両構造。
【請求項３】
請求項１に記載の電気駆動車両構造において、
上記冷却水配管の上記後半部を上記バッテリケース上面に固定し、
上記レンジエクステンダユニットと、上記後半部が固定されたバッテリケースとを、車体下方から車体下面に向けてリフトアップさせて、
上記レンジエクステンダユニットおよび上記バッテリケースを上記車体下方に締結すると共に、
上記冷却水配管の上記前半部と上記後半部とを、上記接続部にて接続することを特徴とする
電気駆動車両構造の組立方法。
【発明の詳細な説明】
【技術分野】
【０００１】
この発明は、車室後方にレンジエクステンダユニットが配置され、車室下部にバッテリケースが配置され、車室前方のモータルーム内に駆動用モータと、上記レンジエクステンダユニット用の熱交換器とが配置された電気駆動車両構造およびその組立方法に関する。
【背景技術】
【０００２】
従来、電気駆動車両としては、レンジエクステンダユニットを搭載した車両が知られている。
【０００３】
レンジエクステンダとは、前輪などの駆動輪を駆動するモータ（駆動用モータ）と、該モータに電力を供給するバッテリと、該バッテリに発電電力を充電する発電機と、この発電機を駆動するエンジンとを備え、バッテリの電気容量が所定値以下に低下した時、エンジンにより発電機を駆動し、その発電電力をバッテリに供給して充電するものである。
【０００４】
上述のレンジエクステンダユニットを車室後方に配置した場合、レンジエクステンダユニットを構成するエンジンおよび発電機と、車両前方に位置するラジエータ等の熱交換器とを冷却水配管で接続する必要があるが、上述の冷却水配管の取り回しと、これらの搭載構造が課題となっている。
【０００５】
ところで、特許文献１には、バッテリトレイと、該バッテリトレイの上側を覆うカバーとからなるバッテリ収納容器を設け、このバッテリ収納容器内にバッテリを上下複数段に収納すると共に、該バッテリ収納容器をフロアパネル下部に配置したバッテリ搭載構造が開示されている。
【０００６】
また、特許文献２には、上下のカバー部材間にバッテリモジュールを収納し、上記カバー部材をフレーム部およびブラケット等の固定部を介してフロアフレームやリヤクロスメンバに締結固定し、上側カバー部材（バッテリケース）は、バッテリモジュール収納以外の他の機能を備えない電動車両のバッテリ搭載構造が開示されている。
【０００７】
しかしながら、上述の特許文献１，２には、冷却水配管の取り回し構造については開示されていない。
【先行技術文献】
【特許文献】
【０００８】
【特許文献１】特許第４９４０９６６号公報
【特許文献２】特許第５４７７２５６号公報
【発明の概要】
【発明が解決しようとする課題】
【０００９】
そこで、この発明は、冷却水配管の組立性の容易化と、当該冷却水配管の長さ短縮とを図ることができる電気駆動車両構造およびその組立方法の提供を目的とする。
【課題を解決するための手段】
【００１０】
この発明による電気駆動車両構造は、車室後方にレンジエクステンダユニットが配置され、車室下部にバッテリケースが配置され、車室前方のモータルーム内に駆動用モータと、上記レンジエクステンダユニット用の熱交換器とが配置された電気駆動車両構造であって、上記熱交換器と上記レンジエクステンダユニットとを連結する冷却水配管が、車両前後方向に延在されると共に、該冷却水配管は上記バッテリケース上面に支持された後半部と、上記モータルーム内に位置する前半部とに分割されており、上記車室と上記モータルームとを前後方向に仕切るダッシュパネルの位置に、上記冷却水配管の上記前半部と上記後半部との接続部が設けられたものである。
【００１１】
上記構成によれば、冷却水配管を、バッテリケース上面に支持される後半部と、モータルーム内に位置する前半部とに分割し、ダッシュパネル位置に上記前半部と後半部との接続部を設けたので、当該接続部にて後半部に対して前半部を接続すると冷却水配管を連通接続でき、その組立性の容易化を図ることができると共に、該冷却水配管は、熱交換器とレンジエクステンダユニットとを連結すべく車両前後方向に延在するので、当該冷却水配管の長さ短縮を図ることができる。
【００１２】
この発明の一実施態様においては、上記接続部は、上記バッテリケース上面のダッシュパネル近傍位置に立設されたブラケットと、当該ブラケットに支持され、後側に上記冷却水配管の後半部の前端部が、前側に上記冷却水配管の前半部の後端部が、それぞれ嵌められる管部とからなるものである。
【００１３】
上記構成によれば、ブラケットに支持された管部の後側に、冷却水配管の後半部の前端部を嵌めると共に、上記管部の前側に、冷却水配管の前半部の後端部を嵌めることで、冷却水配管の接続が完了し、特に、定位置に位置決め固定された上記管部に対して冷却水配管の後半部前端部、前半部後端部を嵌めるので、当該冷却水配管を容易に組付けることができる。
【００１４】
この発明による電気駆動車両構造の組立方法は、請求項１に記載の電気駆動車両構造において、上記冷却水配管の上記後半部を上記バッテリケース上面に固定し、上記レンジエクステンダユニットと、上記後半部が固定されたバッテリケースとを、車体下方から車体下面に向けてリフトアップさせて、上記レンジエクステンダユニットおよび上記バッテリケースを上記車体下方に締結すると共に、上記冷却水配管の上記前半部と上記後半部とを、上記接続部にて接続するものである。
【００１５】
上記構成によれば、上述の組立方法によりバッテリケースと冷却水配管の車両搭載を一度に行なうことができる。
【発明の効果】
【００１６】
この発明によれば、冷却水配管の組立性の容易化と、当該冷却水配管の長さ短縮とを図ることができる効果がある。
【図面の簡単な説明】
【００１７】
【図１】本発明の電気駆動車両構造を示す車両右側の側面図
【図２】図１の要部の斜視図
【図３】バッテリブロックの配列構造を示す平面図
【図４】冷却水配管の配索構造を示す平面図
【図５】図４のＡ−Ａ線矢視断面図
【図６】図４のＢ−Ｂ線矢視断面図
【図７】図１の要部拡大側面図
【図８】図７の斜視図
【図９】本発明の電気駆動車両構造の組立方法を示す斜視図
【発明を実施するための形態】
【００１８】
冷却水配管の組立性の容易化と、当該冷却水配管の長さ短縮とを図るという目的を、車室後方にレンジエクステンダユニットが配置され、車室下部にバッテリケースが配置され、車室前方のモータルーム内に駆動用モータと、上記レンジエクステンダユニット用の熱交換器とが配置された電気駆動車両構造において、上記熱交換器と上記レンジエクステンダユニットとを連結する冷却水配管が、車両前後方向に延在されると共に、該冷却水配管は上記バッテリケース上面に支持された後半部と、上記モータルーム内に位置する前半部とに分割されており、上記車室と上記モータルームとを前後方向に仕切るダッシュパネルの位置に、上記冷却水配管の上記前半部と上記後半部との接続部が設けられるという構成にて実現した。
【実施例】
【００１９】
この発明の一実施例を以下図面に基づいて詳述する。  
図面は電気駆動車両構造を示し、図１は当該電気駆動車両構造を示す車両右側の側面図、図２は図１の要部の斜視図、図３はバッテリブロックの配列構造を示す平面図、図４は冷却水配管の配索構造を示す平面図、図５は図４のＡ−Ａ線矢視断面図、図６は図４のＢ−Ｂ線矢視断面図、図７は図１の要部拡大側面図、図８は図７の斜視図、図９は電気駆動車両構造の組立方法を示す斜視図である。但し、図９においては、図示の便宜上、燃料タンクおよび冷却水配管の図示を省略している。
【００２０】
図１に示すように、この電気駆動車両構造は、モータルーム１０内に配置されたパワーユニットＵ１と、パワーユニットＵ１の車両前方に配置された冷却ユニットＵ２と、車室１１下部に配置されたバッテリユニットＵ３と、車室１１後方に配置されたレンジエクステンダユニットＵ４と、を備えている。
【００２１】
車室１１の底面はフロアパネル１により形成されており、このフロアパネル１は、図１に示すように、フロントフロアパネル２と、このフロントフロアパネル２の車幅方向中央に形成され車室１１側へ突出して車両前後方向に延びるトンネル部３（図５、図６参照）と、フロントフロアパネル２の後端から上方に立上がるキックアップ部４と、キックアップ部４上端から車両後方に延びるリヤシートパン５と、このリヤシートパン５よりもさらに後方に延びるリヤフロアパネル６とを備えている。
【００２２】
図１に示すように、フロントウインドガラスの下端部を支持するカウルパネル１２の下部には、車両前方のモータルーム１０と車室１１とを車両前後方向に仕切るダッシュパネル１３が設けられていて、ダッシュパネル１３の車両前方に上述のモータルーム１０が形成される一方、ダッシュパネル１３の車両後方に上述の車室１１が形成されている。
【００２３】
上述のモータルーム１０の左右両サイドを車両前後方向に延びるフロントサイドフレーム７が設けられていて、これら左右一対のフロントサイドフレーム７，７間には、車幅方向に延びるパワーユニットＵ１用のクロスメンバ１４が横架されている。
【００２４】
上述のパワーユニットＵ１は、クロスメンバ１４に懸架された駆動用モータ１５（詳しくは、三相交流モータ）と、この駆動用モータ１５の車幅方向左側に連結されたギヤボックス（図示せず）と、クロスメンバ１４の上部に搭載された充電器１６、ＤＣ−ＤＣコンバータ１７、充電器１６の車幅方向左側に位置するインバータ（図示せず）、当該インバータの上部に設けられたジャンクションボックス１８、該ジャンクションボックス１８に保護カバー１９を介して取付けられたデガスタンク２０とを備えている。
【００２５】
ここで、充電器１６の車幅方向左側に位置するインバータ（図示せず）は、フロアパネル１下部に配設されたバッテリ（後述するバッテリブロックＢ１〜Ｂ１３参照）からの高電圧の直流電力を三相交流に変換して駆動用モータ１５に供給するＤＣ−ＡＣ変換器であって、インバータ回路を有している。  
また、上述のジャンクションボックス１８は、電線同士を結合、分岐、中継する際に用いる端子や端末を保護するための所謂接続箱であって、リレー回路を有している。
【００２６】
さらに、上述の充電器１６は、外部電源から電力を入力してバッテリを充電するもので、該充電器１６とバッテリとは電力ケーブルによって接続されており、また、該充電器１６は充電回路を備えた普通充電器である。  
加えて、上述のＤＣ−ＤＣコンバータ１７は高電圧を車載機器駆動用の低電圧に変換する変換器である。
【００２７】
さらにまた、上述のデガスタンク２０は、発熱要素である駆動用モータ１５、インバータ、充電器１６、ＤＣ−ＤＣコンバータ１７のぞれぞれのウォータジャケット内部にエアが溜まらないよう、これら各要素を冷却する冷却水系の中途部最上方位置に設けられ、エア抜きを行なうためのタンクである。
【００２８】
図１、図４に示すように、モータルーム１０の前方に配置された冷却ユニットＵ２は、冷媒としての冷却水を走行風等にて冷却する冷却装置であって、該冷却ユニットＵ２は、最前部に位置する発電機用のラジエータ２１と、前後方向中間部に位置するエアコン用のラジエータ２２と、最後部に位置するエンジン用のラジエータ２３と、当該エンジン用のラジエータ２３の直後部に位置し、クーリングファンを有するファンカウリング２４と、を備えている。
【００２９】
これらの各ラジエータ２１，２２，２３は熱交換器であって、走行風またはクーリングファンによる起風を用いて、冷媒（冷却水）と熱交換し、当該冷媒（冷却水）を空冷するための放熱器である。また、上述の冷却ユニットＵ２は、リザーバタンク２５を備えている。  
このリザーバタンク２５は、冷媒であるエンジン冷却水の体積膨張分を吸収する気相空間をタンク内に備えている。
【００３０】
ここで、上述の発電機用のラジエータ２１とエンジン用のラジエータ２３とは、レンジエクステンダユニットＵ４用の熱交換器であって、これら各ラジエータ２１，２３および上述の駆動用モータ１５は車室１１前方のモータルーム１０内に配置されたものである。
【００３１】
図１、図４に示すように、車室１１後方に配置されたレンジエクステンダユニットＵ４は、発電機２６と、エンジン２７（この実施例では、ワンロータタイプのロータリエンジン）と、ＡＣ−ＤＣコンバータ２８（但し、図１では図示の便宜上、ＡＣ−ＤＣコンバータ２８の図示を省略している）と、を備えている。
【００３２】
発電機２６とエンジン２７の位置関係は、エンジン２７を後方に配置し、エンジン２７直前方に発電機２６を配置している。また、上述のＡＣ−ＤＣコンバータ２８は発電機２６の車幅方向右側にレイアウトされている。
【００３３】
上述のレンジエクステンダユニットＵ４は、バッテリ（後述するバッテリブロックＢ１〜Ｂ１３参照）の電気容量が所定値以下に低下した時、エンジン２７により発電機２６を駆動し、発電機２６で発電した交流電力をＡＣ−ＤＣコンバータ２８で直流に変換して、バッテリに供給して充電するよう構成している。
【００３４】
なお、上述のエンジン２７の車幅方向左側には、図４に示すように、電動スロットルバルブ２９を有する吸気通路３０と、吸気マニホルド３１とが設けられている。
【００３５】
また、上述のレンジエクステンダユニットＵ４（特に、エンジン２７）は、図１に示すように、サブフレーム３２により後突荷重から保護するよう構成している。このサブフレーム３２は、エンジン２７の側方において車両後部からエンジン２７前部対応位置まで前方に延びる上側のサブフレームサイドメンバ３３と、レンジエクステンダユニットＵ４の側方において車両後部から発電機２６のさらに前方位置まで前方に延びる下側のサブフレームサイドメンバ３４と、これら上下のサイドメンバ３３，３４を後部において車幅方向に連結するサブフレームクロスメンバ３５と、を備えている。
【００３６】
さらに、エンジン２７の吸気マニホルド３１（図４参照）が設けられた側と同側には、図９に示すように排気マニホルド３６が設けられており、この排気マニホルド３６の下流側に設けられたキャタリストおよびサイレンサはカバー部材３７で覆われている。
【００３７】
上述のキャタリスト、サイレンサを内設したカバー部材３７は、サブフレームクロスメンバ３５とクラッシュカン３８（詳しくは、メインクラッシュカンの下方に位置するサブクラッシュカン）とリヤバンパレインフォースメント３９とで囲繞されたクラッシュスペース内に配設されている。
【００３８】
図３、図５、図６に示すように、上述のバッテリユニットＵ３は車室１１下部に矩形体の複数のバッテリブロックＢ１〜Ｂ１３を配列収容している。図３に示すように複数のバッテリブロックＢ１〜Ｂ１３は車両左側に位置する左バンクＸと、車両右側に位置する右バンクＹとに分けて搭載されている。
【００３９】
この実施例では、図３に示すように左バンクＸはバッテリブロックＢ８〜Ｂ１３で構成されており、右バンクＹはバッテリブロックＢ１〜Ｂ７で構成されていて、両バンクＸ，Ｙ間には間隔が形成されている。つまり、バッテリブロックＢ１〜Ｂ１３は車幅方向中央部にて車幅方向の左右に離間して配置されている。
【００４０】
図６に示すように、上述の各バッテリブロックＢ１〜Ｂ１３はそれぞれ複数のバッテリセルＢＣを集合させて構成すると共に、各バッテリブロックＢ１〜Ｂ１３は、図３に示すように、複数のバスバー４０を用いて直列に接続されている。車両後部に位置するバッテリブロックＢ６，Ｂ１３間を接続するバスバー４０を除いて、左バンクＸと右バンクＹとの間には、バッテリブロック同士を接続するバスバー４０が配索されていない。
【００４１】
図５、図６に示すように、上述のバッテリブロックＢ１〜Ｂ１３は剛性部材である枠状フレーム４１にアルミ合金製の底板４５を介して支持されている。  
上述の枠状フレーム４１は、図２、図５、図６、図７に示すように、車両前後方向に延びる左右一対のサイドフレーム４１Ｓ，４１Ｓと、左右一対のサイドフレーム４１Ｓ，４１Ｓの前端部相互間を車幅方向に連結するフロントフレーム４１Ｆと、左右一対のサイドフレーム４１Ｓ，４１Ｓの後端部相互間を車幅方向に連結するリヤフレーム４１Ｒと、を平面視で枠状に組合せた剛性部材であり、図２に示すように、リヤフレーム４１Ｒには、バッテリユニットＵ３を車体に取付け支持するためのブラケット４６，４６が連結固定されている。また、左右のサイドフレーム４１Ｓ，４１Ｓの後部にも、バッテリユニットＵ３を車体に取付け支持するためのブラケット４７，４７が連結固定されている。
【００４２】
図５、図６に示すように、上述のサイドフレーム４１Ｓは、アッパフレーム４２とロアフレーム４３とを接合固定して、これら両フレーム４２，４３間に閉断面４４を形成したもので、当該サイドフレーム４１Ｓの上側接合フランジ部は、マウント部材４８を介して、フロントフロアパネル２下面のフロアフレーム８に締結固定される。
【００４３】
図５、図６、図７に示すように、上述のマウント部材４８の前後位置と対応して、上側接合フランジ部下面と、ロアフレーム４３外面との間には、前後一対のガセット４８Ｇが設けられている。
【００４４】
上述のフロアフレーム８は、フロントフロアパネル２の下面に接合固定された断面逆ハット形状の車体強度部材であって、左右一対のフロアフレーム８，８前部の車幅方向間隔に対して、左右一対のフロアフレーム８，８後部の車幅方向間隔が広くなるよう、これら左右一対のフロアフレーム８，８は平面視で八の字状に配置されている。
【００４５】
図５、図６に示すように、フロアパネル１の左右両端部には、車両前後方向に延びる強度部材としてのサイドシルインナ９が接合固定されている。このサイドシルインナ９は図示しないサイドシルアウタと接合固定されて、車両前後方向に延びるサイドシル閉断面を形成するものである。  
そして、上述のフロアフレーム８とサイドシルインナ９との間には、これら両者８，９を車幅方向に連結する補強部材４９が設けられている。
【００４６】
図５、図６に示すように、各バッテリブロックＢ１〜Ｂ１３の下部と底板４５との間（但し、図５、図６においては、バッテリブロックＢ１，Ｂ２，Ｂ３，Ｂ８，Ｂ９，Ｂ１０のみを示す）には、熱伝導シート５０が設けられており、これらバッテリブロックの熱を、熱伝導シート５０およびアルミ合金製の底板４５を介して車外に放熱させるよう構成している。
【００４７】
図２、図４、図５、図６に示すように、上述の各バッテリブロックＢ１〜Ｂ１３は合成樹脂製のバッテリケース５１で覆われると共に、当該バッテリケース５１内に配列収容されている。
【００４８】
このバッテリケース５１は車室１１下部におけるフロントフロアパネル２下部に位置するバッテリケース前部５１Ｆと、車室１１下部におけるリヤシートパン５下部に位置するバッテリケース後部５１Ｒとを一体形成したものである（図４参照）。
【００４９】
図２、図４、図５、図６に示すように、このバッテリケース５１はそのバッテリケース前部５１Ｆが左バンクＸを覆うバッテリケース左部５１Ｘと、右バンクＹを覆うバッテリケース右部５１Ｙとを有しており、車幅方向中央部と合致して上述のバッテリケース前部５１Ｆの上面部には、車両前後方向に延びる凹部５２（前後方向凹部）が形成されている。つまり、バッテリケース左部５１Ｘとバッテリケース右部５１Ｙとの間に該凹部５２が形成されたものである。
【００５０】
また、図２、図４に示すように、バッテリケース前部５１Ｆとバッテリケース後部５１Ｒとの境界部には、上述の凹部５２と連続して車幅方向に延びる凹部５３（車幅方向凹部）が形成されている。
【００５１】
図３、図５に示すように、上述のバッテリケース５１内であってバッテリブロックＢ８，Ｂ９，Ｂ１０の上部には、支持台５４を介してバッテリコントローラ５５が設けられている。このバッテリコントローラ５５はバッテリブロックＢ１〜Ｂ１３の電圧等を制御するもので、当該バッテリコントローラ５５は、車幅方向中央部から車幅方向の左側にオフセットした位置に配置されている。  
このバッテリコントローラ５５の配置位置と対応して、上述のバッテリケース５１には隆起部５１ａが形成されている。
【００５２】
また、上述のバッテリケース５１における凹部５２の前部には、図２、図７に示すように、車両側面視で略台形状の突出部５１ｂが一体形成されている。この突出部５１ｂの上面部は略水平に、前面部は略垂直に形成されている。
【００５３】
図２に示すように、上述のバッテリケース５１はその周囲に上面部から下方に延びるスカート部５１ｃと、該スカート部５１ｃの下端から外方に延びるフランジ部５１ｄとを有しており、図５、図６に示すように、車両前後方向に延びるフランジ部５１ｄは、アルミ合金製の底板４５の上端折曲げ部と枠状フレーム４１のアッパフレーム４２上片部とで３枚合わせ構造となるよう複数のボルト、ナットを用いて共締め固定されている。
【００５４】
ところで、図３に示すように、バッテリブロックＢ１２の後方で、かつバッテリブロックＢ１３の車幅方向左側のスペースには、図４に示すように、エンジン２７に供給される燃料を貯留する燃料タンク５６が搭載されている。
【００５５】
図４に示すように、燃料タンク５６と、燃料供給口としてのフィラキャップ５７との間は、フィラパイプ５８で連通接続されており、上述のフィラキャップ５７は車両左側のリヤフェンダパネルに設けられたフィラリッド内のフィラボックスに設けられている。
【００５６】
図２、図４に示すように、熱交換器としてのエンジン用のラジエータ２３および発電機用のラジエータ２１と、レンジエクステンダユニットＵ４とを連結する冷却水配管Ｗが、上述のバッテリケース５１上面部に形成された凹部５２に収容されている。
【００５７】
図２、図４に示すように、上述の冷却水配管Ｗはエンジン２７を冷却する冷媒としての冷却水を供給するエンジン冷却用配管としての第１配管Ｗ１と、発電機２６を冷却する冷媒としての冷却水を供給する発電機冷却用配管としての第２配管Ｗ２と、を備えている。
【００５８】
同図に示すように、第１配管Ｗ１は、インレット配管６１とアウトレット配管６２とを備えており、同様に、第２配管Ｗ２も、インレット配管６３とアウトレット配管６４とを備えている。ここで、第１配管Ｗ１の冷媒温度は約９０℃〜１１０℃に設定されており、一方で第２配管Ｗ２の冷媒温度は最大で約６５℃に設定されている。
【００５９】
図２、図４に示すように、第２配管Ｗ２は第１配管Ｗ１よりも上述の燃料タンク５６に近接させて配置されている。仮に、燃料タンク５６に冷媒温度が約９０℃〜１１０℃の第１配管Ｗ１を近接配置した場合には、燃料タンク５６が第１配管Ｗ１から熱を受ける受熱により蒸発燃料が多く発生したり、燃料タンク５６の内圧が高くなる問題点がある。このため、燃料タンク５６には、冷媒温度が約６５℃以下の第２配管Ｗ２を近接配置し、燃料タンク５６の受熱影響、つまり蒸発燃料の発生やタンク内圧の上昇を抑制すべく構成したものである。
【００６０】
また、第１配管Ｗ１の冷却水にてエンジン２７を冷却することで、エンジン２７の過度な冷却を抑制する一方、第２配管Ｗ２の冷却水にて発電機２６を冷却することで、発電機２６を冷温に保ちつつ、周辺部品である燃料タンク５６の温度条件を満たして、エンジン２７および発電機２６を適切に冷却するよう構成したものである。
【００６１】
既述したように、車両後方には、エンジン２７と、燃料タンク５６と、発電機２６とが搭載されている。  
上述の第１配管Ｗ１は、各ラジエータ２１，２２，２３のうちの最後部に位置するラジエータ２３とエンジン２７とを接続するよう車両前方から車両後方に向かって延設されている。すなわち、ラジエータ２３のアウトレットポートに接続したアウトレット配管６２を、凹部５２に収容して車両前後方向に配索した後に、該凹部５２（前後方向凹部）の後端から車幅方向に延びる凹部５３（車幅方向凹部）に収容し、該凹部５３の外端からさらに後方に延ばして、その後端を、エンジン２７のウォータジャケット入口に接続し、ウォータジャケット出口に接続したインレット配管６１を上記アウトレット配管６２に沿設して車両後方から車両前方に配索して、その前端をラジエータ２３のインレットポートに接続したものである。
【００６２】
また、上述の第２配管Ｗ２は、各ラジエータ２１，２２，２３のうちの最前部に位置するラジエータ２１と発電機２６とを接続するよう車両前方から車両後方に向かって延設されると共に、その途中において燃料タンク５６と近接されて配置されている。
【００６３】
すなわち、ラジエータ２１のアウトレットポートに接続したアウトレット配管６４を、凹部５２（前後方向凹部）に収容して車両前後方向に配索した後に、該凹部５２の後端からさらに後方に延ばして、発電機２６およびコンバータ２８の下部に位置するウォータジャケット入口に接続し、発電機２６およびコンバータ２８の上部に位置するウォータジャケット出口に接続したインレット配管６３を上記アウトレット配管６４に略沿設して車両後方から車両前方に配索して、その前端をラジエータ２１のインレットポートに接続したものである。  
なお、図２、図４において、冷却水の流れを矢印で示している。
【００６４】
冷却水をウォータジャケットの下部から流入し、ウォータジャケットの上部から流出させることで、冷却水の泡立ちによる泡を抜くことができる。  
図４のＡ−Ａ線矢視断面を図５に、Ｂ−Ｂ線矢視断面図を図６にそれぞれ示すように、ラジエータ２１，２３とレンジエクステンダユニットＵ４とを連結する冷却水配管Ｗ（第１配管Ｗ１、第２配管Ｗ２参照）を、バッテリケース５１上面部に形成された凹部５２に収容したものである。
【００６５】
これにより、当該冷却水配管Ｗ（第１配管Ｗ１、第２配管Ｗ２）をバッテリケース５１直上において車両前後方向に通し、冷却水配管Ｗがバッテリケース５１の周囲を迂回することなく、その配管長さの最小化を達成すべく構成したものである。
【００６６】
図２に示すように、上述の冷却水配管Ｗは、バッテリケース５１における隆起部５１ａの車幅方向右側において、合計４本の配管６１，６２，６３，６４を束ね、固定部材６５を用いてバッテリケース５１に固定されている。
【００６７】
また、図２に示すように、上述の冷却水配管Ｗにおけるバッテリケース後部５１Ｒと対応する第１配管Ｗ１は、当該バッテリケース後部５１Ｒの右側部において、合計２本の配管６１，６２を束ね、固定部材６６を用いてバッテリケース後部５１Ｒに固定されている。
【００６８】
図１、図７、図８に示すように、上述の冷却水配管Ｗは、バッテリケース５１上面に支持された後半部Ｗｒと、モータルーム１０内に位置する前半部Ｗｆとに分割されている。
【００６９】
図１、図７、図８に示すように、車室１１とモータルーム１０とを車両前後方向に仕切るダッシュパネル１３の位置に、上述の冷却水配管Ｗの前半部Ｗｆと後半部Ｗｒとの接続部７０が設けられている。
【００７０】
図７、図８に示すように、上述の接続部７０は、バッテリケース５１の突出部５１ｂにおける略水平な上面部に固定されたブラケット７１と、このブラケット７１に支持された配管相当数の管部７２とを備えている。
【００７１】
上述のブラケット７１は、バッテリケース５１の突出部５１ｂ上面部から車両前方へ突出する下片７１ａと、この下片７１ａの前端から上方に延びる前片７１ｂと、この前片７１ｂの上端から後方に延びる上片７１ｃと、この上片７１ｃの後端から上方に延びる後片７１ｄとを、金属板の折曲げ加工により一体形成したもので、該ブラケット７１は、図１に示すように、バッテリケース５１上面のダッシュパネル１３近傍位置に立設されたものである。
【００７２】
配管相当数の管部７２のうち、第１配管Ｗ１用の管部７２は、図７、図８に示すように、ブラケット７１の後片７１ｄに支持されている。また、配管相当数の管部７２のうち第２配管Ｗ２用の管部７２は、同図に示すように、ブラケット７１の前片７１ｂに支持されている。
【００７３】
そして、上述の各管部７２は、その後側に冷却水配管Ｗの後半部Ｗｒの前端部が嵌められ、その前側に冷却水配管Ｗの前半部Ｗｆの後端部が嵌められるもので、これらの各管部７２は、金属製のパイプ部材にて形成することができる。
【００７４】
また、図７、図８に示すように、ブラケット７１における前片７１ｂおよび後片７１ｄの背面側には、上述の管部７２の抜け止めを奏する抜け止め部材７３が設けられており、当該抜け止め部７３は、ボルト、ナットなどの取付け部材７４を用いて、上記前片７１ｂ、後片７１ｄに取付けられている。
【００７５】
図９は電気駆動車両構造の組立方法を示す斜視図である。  
図９に示すように、バッテリユニットＵ３およびレンジエクステンダユニットＵ４の下方に位置するパレット８０を設けている。
【００７６】
バッテリユニットＵ３は、パレット８０上部に設けられた複数の台座８１…にてパレット８０上に支持されている。  
レンジエクステンダユニットＵ４の下方に対応するパレット８０上部には支持ブロック８２を取付けており、この支持ブロック８２上に設けた複数の台座８３にて上述のレンジエクステンダユニットＵ４をその下方から支持している。
【００７７】
上述の複数の台座８１のうち特定の台座８１（この実施例では、前部車幅右側に位置する台座８１）には外方に延びるアーム８４を連結し、このアーム８４外端の筒部８５（筒状ナット）を、上下方向に延びるスクリュ８６（いわゆるネジ棒）に螺合させている。
【００７８】
一方で、上述の支持ブロック８２の後部車幅方向左側にも、外方に延びるアーム８７を連結し、このアーム８７外端の筒部８８（筒状ナット）を上下方向に延びるスクリュ８９（いわゆるネジ棒）に螺合させている。
【００７９】
図示しないモータにより上述のスクリュ８６,８９を回転させると、筒部８５，８８、アーム８４，８７、台座８１および支持ブロック８２を介してパレット８０が上動し、バッテリユニットＵ３、レンジエクステンダユニットＵ４が上動するよう構成している。  
また、上述のレンジエクステンダユニットＵ４において、発電機２６の前部車幅方向略中央には、マウントブラケット９０が設けられている。
【００８０】
そこで、冷却水配管Ｗの後半部Ｗｒを予め図２で示したようにバッテリケース５１上面に固定し、レンジエクステンダユニットＵ４と、上述の後半部Ｗｒが固定されたバッテリケース５１とを、パレット８０の上動により車体下方から車体下面に向けてリフトアップさせ、レンジエクステンダユニットＵ４およびバッテリケース５１を車体下面に締結すると共に、冷却水配管Ｗの後半部Ｗｒに対して前半部Ｗｆをモータルーム１０側から接続部７０にて接続するよう構成している。
【００８１】
詳しくは、枠状フレーム４１のフロントフレーム４１Ｆには複数のマウント部材９１が設けられており、このフロントフレーム４１Ｆをマウント部材９１を介して車体前部に締結固定し、枠状フレーム４１のサイドフレーム４１Ｓをマウント部材４８を介してフロアフレーム８（図５、図６参照）に締結固定し、ブラケット４７を車体側のリヤサイドフレーム（図示せず）の前部下側に締結固定し、ブラケット４６およびマウントブラケット９０を車体側のクロスメンバ（いわゆるＮｏ．４クロスメンバ）に締結固定し、サブフレーム３２におけるサブフレームサイドメンバ３３の前端部を車体側のリヤサイドフレーム下面に締結固定し、さらに図７、図８で示したように、冷却水配管Ｗの前半部Ｗｆにおける後端部を、予めバッテリケース５１にブラケット７１を介して支持させた管部７２の前側にモータルーム１０側から嵌めるものである。
【００８２】
この組立方法により、バッテリケース５１と冷却水配管Ｗの車両搭載を一度に行なうよう構成したものである。  
なお、図中、矢印Ｆは車両前方を示し、矢印Ｒは車両後方を示し、矢印ＵＰは車両上方を示す。
【００８３】
このように、上記実施例の電気駆動車両構造は、車室１１後方にレンジエクステンダユニットＵ４が配置され、車室１１下部にバッテリケース５１が配置され、車室１１前方のモータルーム１０内に駆動用モータ１５と、上記レンジエクステンダユニットＵ４用の熱交換器（ラジエータ２１，２３参照）とが配置された電気駆動車両構造であって、上記熱交換器（ラジエータ２１，２３）と上記レンジエクステンダユニットＵ４とを連結する冷却水配管Ｗが、車両前後方向に延在されると共に、該冷却水配管Ｗは上記バッテリケース５１上面に支持された後半部Ｗｒと、上記モータルーム１０内に位置する前半部Ｗｆとに分割されており、上記車室１１と上記モータルーム１０とを前後方向に仕切るダッシュパネル１３の位置に、上記冷却水配管Ｗの上記前半部Ｗｆと上記後半部Ｗｒとの接続部７０が設けられたものである（図１、図２、図７、図８参照）。
【００８４】
この構成によれば、冷却水配管Ｗを、バッテリケース５１上面に支持される後半部Ｗｒと、モータルーム１０内に位置する前半部Ｗｆとに分割し、ダッシュパネル１３位置に上記前半部Ｗｆと後半部Ｗｒとの接続部７０を設けたので、当該接続部７０にて後半部Ｗｒに対して前半部Ｗｆを接続すると冷却水配管Ｗを連通接続でき、その組立性の容易化を図ることができると共に、該冷却水配管Ｗは、熱交換器（ラジエータ２１，２３）とレンジエクステンダユニットＵ４とを連結すべく車両前後方向に延在するので、当該冷却水配管Ｗの長さ短縮を図ることができる。
【００８５】
この発明の一実施形態においては、上記接続部７０は、上記バッテリケース５１上面のダッシュパネル１３近傍位置に立設されたブラケット７１と、当該ブラケット７１に支持され、後側に上記冷却水配管Ｗの後半部Ｗｒの前端部が、前側に上記冷却水配管Ｗの前半部Ｗｆの後端部が、それぞれ嵌められる管部７２とからなるものである（図１、図７参照）。
【００８６】
この構成によれば、ブラケット７１に支持された管部７２の後側に、冷却水配管Ｗの後半部Ｗｒの前端部を嵌めると共に、上記管部７２の前側に、冷却水配管Ｗの前半部Ｗｆの後端部を嵌めることで、冷却水配管Ｗの接続が完了し、特に、定位置に位置決め固定された上記管部７２に対して冷却水配管Ｗの後半部Ｗｒ前端部、前半部Ｗｆ後端部を嵌めるので、当該冷却水配管Ｗを容易に組付けることができる。
【００８７】
この発明による電気駆動車両構造の組立方法は、請求項１に記載の電気駆動車両構造において、上記冷却水配管Ｗの上記後半部Ｗｒを上記バッテリケース５１上面に固定し、上記レンジエクステンダユニットＵ４と、上記後半部Ｗｒが固定されたバッテリケース５１とを、車体下方から車体下面に向けてリフトアップさせて、上記レンジエクステンダユニットＵ４および上記バッテリケース５１を上記車体下方に締結すると共に、上記冷却水配管Ｗの上記前半部Ｗｆと上記後半部Ｗｒとを、上記接続部７０にて接続するものである（図１、図２、図９参照）。  
この構成によれば、上述の組立方法によりバッテリケース５１と冷却水配管Ｗの車両搭載を一度に行なうことができる。
【００８８】
この発明の構成と、上述の実施例との対応において、
この発明のレンジエクステンダユニット用の熱交換器は、実施例の発電機用のラジエータ２１およびエンジン用のラジエータ２３に対応するも、
この発明は、上述の実施例の構成のみに限定されるものではない。
【産業上の利用可能性】
【００８９】
以上説明したように、本発明は、車室後方にレンジエクステンダユニットが配置され、車室下部にバッテリケースが配置され、車室前方のモータルーム内に駆動用モータと、上記レンジエクステンダユニット用の熱交換器とが配置された電気駆動車両構造およびその組立方法について有用である。
【符号の説明】
【００９０】
１０…モータルーム
１１…車室
１３…ダッシュパネル
１５…駆動用モータ
２１，２３…ラジエータ（熱交換器）
５１…バッテリケース
７０…接続部
７１…ブラケット
７２…管部
Ｕ４…レンジエクステンダユニット
Ｗ…冷却水配管
Ｗｆ…前半部
Ｗｒ…後半部
【図１】
2019147422.tif 000003
【図２】
2019147422.tif 000004
【図３】
2019147422.tif 000005
【図４】
2019147422.tif 000006
【図５】
2019147422.tif 000007
【図６】
2019147422.tif 000008
【図７】
2019147422.tif 000009
【図８】
2019147422.tif 000010
【図９】
2019147422.tif 000011